(57)【要約】【課題】互換性に優れた複数種類のコネクタ嵌合体を低コストで製造可能なコネクタ嵌合体の製造システムを提供すること。【解決手段】コネクタ嵌合体の製造システムは、複数種類の第１コネクタ１Ａ，１Ｂから選択された一の第１コネクタと、単一種類の第２コネクタ２と、が嵌合されたコネクタ嵌合体３Ａ，３Ｂを製造する。複数種類の第１コネクタ１Ａ，１Ｂの各々は、コネクタ嵌合体３Ａ，３Ｂの機能に対応して第１コネクタ１Ａ，１Ｂごとに異なる第１機能部１５，５２を有する。第２コネクタ２は、第１機能部１５，５２と係合可能な共通の第２機能部３５を有する。当該製造システムは、前記機能に基づいて選択された一の第１コネクタ１Ａ，１Ｂと第２コネクタ２とを嵌合させ、第１機能部１５，５２と第２機能部３５との協働によって前記機能を有するコネクタ嵌合体３Ａ，３Ｂを製造する、ように構成される。【選択図】図１
2020161324.tif 000002
【特許請求の範囲】
【請求項１】
複数種類の第１コネクタから選択された一の前記第１コネクタと、単一種類の第２コネクタと、が嵌合されたコネクタ嵌合体を製造する、コネクタ嵌合体の製造システムであって、
前記複数種類の前記第１コネクタの各々は、前記コネクタ嵌合体の機能に対応して前記第１コネクタごとに異なる第１機能部を有し、
前記第２コネクタは、前記第１機能部と係合可能な共通の第２機能部を有し、
当該製造システムは、
前記機能に基づいて選択された一の前記第１コネクタと前記第２コネクタとを嵌合させ、前記第１機能部と前記第２機能部との協働によって前記機能を有する前記コネクタ嵌合体を製造する、ように構成される、
コネクタ嵌合体の製造システム。
【請求項２】
請求項１に記載の製造システムにおいて、
前記第２コネクタは、
当該第２コネクタの外壁面に設けられた突条部を前記第２機能部として有し、
前記複数種類の前記第１コネクタは、
前記突条部と当接することによって防水機能を発揮する内壁面を前記第１機能部として有する簡易防水コネクタと、前記第２コネクタに一部が押圧接触して防水機能を発揮するとともに前記突条部と他部が空隙を挟んで向かい合うことによって異物の侵入を抑制する機能を発揮するシーリング部品を前記第１機能部として有する防水コネクタと、を含む、
コネクタ嵌合体の製造システム。
【請求項３】
請求項１に記載の製造システムにおいて、
前記第２コネクタは、
当該第２コネクタの外壁面に設けられた突条部を前記第２機能部として有し、
前記複数種類の前記第１コネクタは、
前記突条部と当接することによって防水機能を発揮する内壁面を前記第１機能部として有する簡易防水コネクタと、前記第２コネクタに一部が押圧接触して防水機能を発揮するとともに前記突条部と他部が当接することによって前記防水機能を高める機能を発揮するシーリング部品を前記第１機能部として有する防水コネクタと、を含む、
コネクタ嵌合体の製造システム。
【発明の詳細な説明】
【技術分野】
【０００１】
本発明は、一のコネクタと他のコネクタとが嵌合されたコネクタ嵌合体を製造する製造システムに関する。
【背景技術】
【０００２】
従来から、電気機器同士の間や電気機器と電源との間を繋ぐ各種の配線上などにおいて、一のコネクタと他のコネクタ（例えば、オスコネクタとメスコネクタ）とを嵌合させることによる電気的接続が行われている。換言すると、このような電気的接続を確立するためのコネクタ嵌合体の製造が行われている。
【０００３】
この種のコネクタ嵌合体では、必要に応じ、コネクタ嵌合体の用途に応じた各種の機能を実現させるための構造が各コネクタに設けられる場合がある。例えば、コネクタ嵌合体に防水機能を持たせるため、パッキンを一方のコネクタに取り付け、嵌合時にそのパッキンに押圧接触するように他方のコネクタの形状が設計される場合がある（例えば、特許文献１を参照）。また、一方のコネクタに設けた突条部を利用し、一方のコネクタを他方のコネクタに圧入することで、コネクタ嵌合体に簡易的な防水機能を持たせる場合もある（例えば、特許文献２を参照）。
【先行技術文献】
【特許文献】
【０００４】
【特許文献１】特開２００５−３４６９４０号公報
【特許文献２】特開平７−１５３５２３号公報
【発明の概要】
【発明が解決しようとする課題】
【０００５】
上述した従来の各種のコネクタ嵌合体のように、コネクタ嵌合体に各種の機能（防水機能など）を持たせる場合、一般に、個々のコネクタがその機能に対応した形状や構造を有することになる。即ち、個々のコネクタが各種の機能に応じた専用の形状等に設計されることで、コネクタ嵌合体がその機能を発揮できることになる。ところが、このような専用設計に起因し、一の機能に対応して設計されたコネクタは、通常、他の機能に対応して設計されたコネクタに対しては適正に嵌合できない。即ち、従来のコネクタ嵌合体では、コネクタ間の互換性が低い。しかし、コネクタ嵌合体の製造コストを低減する等の観点から、複数種類のコネクタ間の互換性を高めることが望ましい。
【０００６】
本発明は、上述した事情に鑑みてなされたものであり、その目的は、互換性に優れた複数種類のコネクタ嵌合体を低コストで製造可能なコネクタ嵌合体の製造システム、を提供することにある。
【課題を解決するための手段】
【０００７】
前述した目的を達成するために、本発明に係るコネクタ嵌合体の製造システムは、下記［１］〜［３］を特徴としている。
［１］
複数種類の第１コネクタから選択された一の前記第１コネクタと、単一種類の第２コネクタと、が嵌合されたコネクタ嵌合体を製造する、コネクタ嵌合体の製造システムであって、
前記複数種類の前記第１コネクタの各々は、前記コネクタ嵌合体の機能に対応して前記第１コネクタごとに異なる第１機能部を有し、
前記第２コネクタは、前記第１機能部と係合可能な共通の第２機能部を有し、
当該製造システムは、
前記機能に基づいて選択された一の前記第１コネクタと前記第２コネクタとを嵌合させ、前記第１機能部と前記第２機能部との協働によって前記機能を有する前記コネクタ嵌合体を製造する、ように構成される、
コネクタ嵌合体の製造システムであること。
［２］
上記［１］に記載の製造システムにおいて、
前記第２コネクタは、
当該第２コネクタの外壁面に設けられた突条部を前記第２機能部として有し、
前記複数種類の前記第１コネクタは、
前記突条部と当接することによって防水機能を発揮する内壁面を前記第１機能部として有する簡易防水コネクタと、前記第２コネクタに一部が押圧接触して防水機能を発揮するとともに前記突条部と他部が空隙を挟んで向かい合うことによって異物の侵入を抑制する機能を発揮するシーリング部品を前記第１機能部として有する防水コネクタと、を含む、
コネクタ嵌合体の製造システムであること。
［３］
上記［１］に記載の製造システムにおいて、
前記第２コネクタは、
当該第２コネクタの外壁面に設けられた突条部を前記第２機能部として有し、
前記複数種類の前記第１コネクタは、
前記突条部と当接することによって防水機能を発揮する内壁面を前記第１機能部として有する簡易防水コネクタと、前記第２コネクタに一部が押圧接触して防水機能を発揮するとともに前記突条部と他部が当接することによって前記防水機能を高める機能を発揮するシーリング部品を前記第１機能部として有する防水コネクタと、を含む、
コネクタ嵌合体の製造システムであること。
【０００８】
上記［１］の構成のコネクタ嵌合体の製造システムは、コネクタ嵌合体の機能に対応して個々に「異なる」第１機能部を有する「複数」種類の第１コネクタ（例えば、オスコネクタ）に対し、汎用的に対応可能な「共通の」第２機能部を有する「単一」種類の第２コネクタ（例えば、メスコネクタ）を嵌合させることで、コネクタ嵌合体を製造するようになっている。これにより、従来のように、専用設計の複数の第１コネクタと複数の第２コネクタとを準備する場合に比べ、より低コスト且つ合理的に、コネクタ嵌合体を製造できる。したがって、本構成のコネクタ嵌合体の製造システムは、従来の製造システムに比べ、互換性に優れた複数種類のコネクタ嵌合体を低コストで製造可能である。
【０００９】
上記［２］の構成のコネクタ嵌合体の製造システムによれば、第２コネクタに設けた突条部（即ち、第２機能部）が、第１コネクタ（簡易防水コネクタ）の内壁面に当接することで、簡易的な防水機能が発揮される。また、第２コネクタの一部が第１コネクタ（防水コネクタ）が有するシーリング部品に押圧接触しながら、第２コネクタの突条部（即ち、第２機能部）が、第１コネクタのシーリング部品と空隙を挟んで向かい合うことで、シーリング部品による防水機能に加え、シーリング部品に向けて外部から異物が近づかないように突条部が異物を堰き止める機能が発揮される。このように、互換性に優れた「単一」種類の第２コネクタと、「複数」種類の第１コネクタと、を組み合わせることで、複数種類のコネクタ嵌合体を製造できる。
【００１０】
上記［３］の構成のコネクタ嵌合体の製造システムによれば、第２コネクタに設けた突条部（即ち、第２機能部）が、第１コネクタ（簡易防水コネクタ）の内壁面に当接することで、簡易的な防水機能が発揮される。また、第２コネクタの一部が第１コネクタ（防水コネクタ）が有するシーリング部品に押圧接触しながら、第２コネクタの突条部（即ち、第２機能部）が、更にシーリング部品と当接することで、シーリング部品と突条部による高度な防水機能が発揮される。このように、互換性に優れた「単一」種類の第２コネクタと、「複数」種類の第１コネクタと、を組み合わせることで、複数種類のコネクタ嵌合体を製造できる。
【発明の効果】
【００１１】
本発明によれば、複数種類のコネクタ嵌合体を低コストで製造可能なコネクタ嵌合体の製造システムを提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本発明の実施形態に係る製造システムによって選択的に製造される２種類のコネクタ嵌合体の分解斜視図である。
【図２】図２は、図１に示す単一種類のメスハウジングの斜視図である。
【図３】図３（ａ）は、単一種類のメスコネクタと簡易防水オスコネクタとが嵌合された簡易防水コネクタ嵌合体の主要断面図であり、図３（ｂ）は、図３（ａ）のＡ部の拡大図である。
【図４】図４（ａ）は、単一種類のメスコネクタと防水オスコネクタとが嵌合された防水コネクタ嵌合体の主要断面図であり、図４（ｂ）は、図４（ａ）のＢ部の拡大図である。
【図５】図５は、単一種類のメスコネクタと防水オスコネクタとが嵌合された防水コネクタ嵌合体の他の例についての図４（ｂ）に相当する図である。
【発明を実施するための形態】
【００１４】
＜実施形態＞
以下、図面を参照しながら、本発明の実施形態に係る製造システムによって選択的に製造される２種類のコネクタ嵌合体３Ａ，３Ｂについて説明する。簡易防水コネクタ嵌合体３Ａ（図３参照）は、２種類のオスコネクタ１Ａ，１Ｂのうち簡易防水オスコネクタ１Ａと、単一種類のメスコネクタ２と、が嵌合されたコネクタ嵌合体である。防水コネクタ嵌合体３Ｂ（図４参照）は、２種類のオスコネクタ１Ａ，１Ｂのうち防水オスコネクタ１Ｂと、単一種類のメスコネクタ２と、が嵌合されたコネクタ嵌合体である。
【００１５】
簡易防水コネクタ嵌合体３Ａでは、２種類のオスハウジング４Ａ，４Ｂのうち簡易防水オスコネクタ１Ａに使用される簡易防水オスハウジング４Ａと、メスコネクタ２のメスハウジング７とを互いに嵌合することで、簡易防水オスハウジング４Ａに収容されたオス端子５に接続された電線６と、メスハウジング７に収容されたメス端子８に接続された電線９とが互いに電気的に接続されるようになっている。
【００１６】
防水コネクタ嵌合体３Ｂでは、２種類のオスハウジング４Ａ，４Ｂのうち防水オスコネクタ１Ｂに使用される防水オスハウジング４Ｂと、メスコネクタ２のメスハウジング７とを互いに嵌合することで、防水オスハウジング４Ｂに収容されたオス端子５に接続された電線６と、メスハウジング７に収容されたメス端子８に接続された電線９とが互いに電気的に接続されるようになっている。
【００１７】
以下、説明の便宜上、特に区別する必要がないときには、２種類のコネクタ嵌合体３Ａ，３Ｂ、２種類のオスコネクタ１Ａ，１Ｂ、及び、２種類のオスハウジング４Ａ，４Ｂを、それぞれ、コネクタ嵌合体３、オスコネクタ１、及び、オスハウジング４と呼ぶことがある。
【００１８】
また、図１に示すように、「前後方向」、「幅方向」、「上下方向」、「上」、及び「下」を定義する。「前後方向」、「幅方向」及び「上下方向」は、互いに直交している。前後方向は、オスコネクタ１（オスハウジング４）とメスコネクタ２（メスハウジング７）との嵌合方向、オス端子５のオスハウジング４への挿入方向、及び、メス端子８のメスハウジング７への挿入方向、と一致している。オスコネクタ１及びメスコネクタ２の各々について、相手側コネクタが嵌合する嵌合方向正面側を前側とし、その反対の嵌合方向背面側を後側とする。以下、先ず、オスコネクタ１について説明する。
【００１９】
オスコネクタ１は、図１，３，４に示すように、樹脂製のオスハウジング４と、一対のオス端子５と、から構成される。オスハウジング４は、基部１１と、基部１１から後方へ延びる電線保持部１２と、基部１１から前方へ延びるフード部１３と、を一体に有する。
【００２０】
基部１１の内部には、前後方向に貫通する一対の端子収容室（図示省略）が、幅方向に並ぶように形成されている。電線保持部１２の内部には、前後方向に貫通する一対の端子挿入孔（図示省略）が、幅方向に並ぶように、且つ、一対の端子収容室にそれぞれ連通するように、形成されている。フード部１３は、一対の端子収容室の前端部を囲いながら前方へ突出する筒状の形状を有している。
【００２１】
オス端子５は、前後方向に延びる本体部２１と、本体部２１から前方へ突出する棒状のタブ部２２とを有する。本体部２１の後方側には、電線６の端末が接続されている。電線６の端末には、円環状のゴム栓２３が装着されている。
【００２２】
電線６が接続された一対のオス端子５は、オスハウジング４に後方から挿入され収容される。オス端子５の収容途中の段階では、端子収容室に設けられたランス（図示省略）がオス端子５の本体部２１から離れる向きに弾性変形し、オス端子５の収容完了状態では、オス端子５の本体部２１に近付く向きに弾性回復してオス端子５の本体部２１の段部（図示省略）を係止する。これにより、オス端子５のオスハウジング４からの後方側への抜けが防止される。
【００２３】
一対のオス端子５の収容完了状態では、一対のオス端子５の本体部２１が基部１１の一対の端子収容室に収容され、一対のオス端子５のタブ部２２が、一対の端子収容室の前端部から前方へ突出してフード部１３の内部空間内に位置している。一対のオス端子５に接続された一対の電線６の端末は、電線保持部１２の一対の端子挿入孔に収容され保持されている。このように、オス端子５の本体部２１は、電線保持部１２の端子挿入孔を通過した後に基部１１の端子収容室に収容されることになる。
【００２４】
オス端子５の収容完了段階では、電線６の端末の外周面と、電線保持部１２の端子挿入孔の内周面との隙間が、ゴム栓２３によってシールされている。これにより、オスハウジング４の後方側からオスハウジング４の内部への水の侵入が防止され得る。
【００２５】
次いで、メスコネクタ２について説明する。メスコネクタ２は、図１〜４に示すように、樹脂製のメスハウジング７と、一対のメス端子８と、から構成される。メスハウジング７は、基部３１と、基部３１から後方へ延びる電線保持部３２と、を一体に有する。
【００２６】
基部３１の内部には、前後方向に貫通する一対の端子収容室（図示省略）が、幅方向に並ぶように形成されている。電線保持部３２の内部には、前後方向に貫通する一対の端子挿入孔（図示省略）が、幅方向に並ぶように、且つ、一対の端子収容室にそれぞれ連通するように、形成されている。
【００２７】
メス端子８は、図１に示すように、前後方向に延びる筒状の本体部４１を有する。本体部４１の後方側には、電線９の端末が接続されている。電線９の端末には、円環状のゴム栓４２が装着されている。
【００２８】
電線９が接続された一対のメス端子８は、メスハウジング７に後方から挿入され収容される。メス端子８の収容途中の段階では、端子収容室に設けられたランス（図示省略）がメス端子８の本体部４１から離れる向きに弾性変形し、メス端子８の収容完了状態では、メス端子８の本体部４１に近付く向きに弾性回復してメス端子８の本体部４１の段部（図示省略）を係止する。これにより、メス端子８のメスハウジング７からの後方側への抜けが防止される。
【００２９】
一対のメス端子８の収容完了状態では、一対のメス端子８の本体部４１が基部３１の一対の端子収容室に収容される。一対のメス端子８に接続された一対の電線９の端末は、電線保持部３２の一対の端子挿入孔に収容され保持されている。このように、メス端子８の本体部４１は、電線保持部３２の端子挿入孔を通過した後に基部３１の端子収容室に収容されることになる。
【００３０】
メス端子８の収容完了段階では、電線９の端末の外周面と、電線保持部３２の端子挿入孔５２の内周面との隙間が、ゴム栓４２によってシールされている。これにより、メスハウジング７の後方側からメスハウジング７の内部への水の侵入が防止され得る。
【００３１】
オスハウジング４とメスハウジング７との嵌合は、メスハウジング７の基部３１をオスハウジング４のフード部１３に挿入し、フード部１３の内部にて、メスハウジング７の基部３１の前端面とオスハウジング４の基部１１の前端面とを突き合わせることで達成される。
【００３２】
オスハウジング４とメスハウジング７との嵌合完了状態では、オスハウジング４に収容されたオス端子５のタブ部２２が、メスハウジング７に収容されたメス端子８の筒状の本体部４１に挿入されている。これにより、オス端子５に接続された電線６と、メス端子８に接続された電線９とが互いに電気的に接続される。
【００３３】
更に、オスハウジング４に形成されたロックアーム１４（図１参照）が、メスハウジング７に形成されたロックビーク３３（図１及び図２参照）に係合している（図３（ａ）及び図４（ａ）参照）。これにより、オスハウジング４とメスハウジング７とが嵌合完了状態に維持される。
【００３４】
嵌合完了状態では、互いに突き合わされたメスハウジング７の基部３１の前端面とオスハウジング４の基部１１の前端面との隙間を介して、外部からオスハウジング４及びメスハウジング７の内部へ水が進入することを防止する機能（以下、「嵌合部における防水機能」と呼ぶ）が発揮され得るように、オスハウジング４及びメスハウジング７が構成されている。以下、この点について詳細に説明する。
【００３５】
＜簡易防水コネクタ嵌合体３Ａの嵌合部における防水機能＞
図３に示す簡易防水コネクタ嵌合体３Ａでは、上述のように、単一種類のメスハウジング７に、２種類のオスハウジング４Ａ，４Ｂのうち簡易防水オスハウジング４Ａが嵌合される。
【００３６】
メスハウジング７では、嵌合部における防水機能を発揮するため、図２に示すように、基部３１における筒状の前端部の外壁面が圧入部３４として機能する。圧入部３４には、環状の突条部３５（第２機能部）が設けられている。
【００３７】
簡易防水オスハウジング４Ａでは、嵌合部における防水機能を発揮するため、図３（ａ）及び図３（ｂ）に示すように、フード部１３の内部空間内にて基部１１の前端面から前方へ突出する環状の圧入壁１５が一体で設けられている。
【００３８】
図３（特に、図３（ｂ）参照）に示すように、簡易防水オスハウジング４Ａとメスハウジング７との嵌合完了状態（即ち、簡易防水コネクタ嵌合体３Ａ）では、メスハウジング７の圧入部３４の環状の突条部３５が簡易防水オスハウジング４Ａの圧入壁１５の内壁面（第１機能部）に全周に亘って押圧接触するように、圧入部３４が圧入壁１５に圧入されている。この結果、突条部３５が圧入壁１５の内壁面に全周に亘って押圧接触することで、簡易防水機能が発揮される。
【００３９】
＜防水コネクタ嵌合体３Ｂの嵌合部における防水機能＞
図４に示す防水コネクタ嵌合体３Ｂでは、上述のように、単一種類のメスハウジング７に、２種類のオスハウジング４Ａ，４Ｂのうち防水オスハウジング４Ｂが嵌合される。防水オスハウジング４Ｂでは、後述のように、筒状のパッキン５２が使用されることに起因して、簡易防水オスハウジング４Ａと比べて、圧入壁１５の内壁面の径方向寸法、及び、フード部１３の内部空間の径方向寸法が、パッキン５２の厚さ分だけ大きくなっている。このことに起因して、図４（ａ）に示すように、フード部１３の内壁面とメスハウジング７の外壁面との隙間を埋めるためのスペーサ５１が、フード部１３とメスハウジング７との間に介挿されている。
【００４０】
メスハウジング７では、嵌合部における防水機能を発揮するため、上述のように、圧入部３４において環状の突条部３５（第２機能部）が設けられている。一方、防水オスハウジング４Ｂでは、嵌合部における防水機能を発揮するため、図４（ａ）及び図４（ｂ）に示すように、ゴム製の筒状のパッキン５２（第１機能部）が、圧入壁１５の内壁面に密着するように挿入・固定されている。パッキン５２の内壁面には、径方向内側に突出する複数（本例では、２つ）の環状のリップ部５３ａ，５３ｂが、前後方向に並ぶように設けられている。
【００４１】
図４（特に、図４（ｂ）参照）に示すように、防水オスハウジング４Ｂとメスハウジング７との嵌合完了状態（即ち、防水コネクタ嵌合体３Ｂ）では、パッキン５２のリップ部５３ｂ（後側のリップ部）がメスハウジング７の圧入部３４の一部に全周に亘って押圧接触すると共に、パッキン５２のリップ部５３ａ（前側のリップ部）が、自身より前方に位置する突条部３５と空隙を挟んで前後方向に向かい合っている。これらの結果、パッキン５２のリップ部５３ｂがメスハウジング７の圧入部３４の一部に押圧接触することで、防水機能が発揮されると共に、パッキン５２のリップ部５３ａが突条部３５と空隙を挟んで向かい合っていることで、異物の侵入を抑制する機能が発揮される。換言すれば、防水コネクタ嵌合体３Ｂでは、簡易防水コネクタ嵌合体３Ａが発揮する簡易防水機能とは異なる機能が発揮される。
【００４２】
なお、防水コネクタ嵌合体３Ｂでは、図５に示すように、パッキン５２のリップ部５３ｂがメスハウジング７の圧入部３４の一部に全周に亘って押圧接触すると共に、パッキン５２のリップ部５３ａが、突条部３５と全周に亘って押圧接触するように構成されてもよい。これらの結果、パッキン５２のリップ部５３ｂがメスハウジング７の圧入部３４の一部に押圧接触することで、防水機能が発揮されると共に、パッキン５２のリップ部５３ａが突条部３５と押圧接触することで、防水機能を高める機能が発揮される。換言すれば、この防水コネクタ嵌合体３Ｂにおいても、簡易防水コネクタ嵌合体３Ａが発揮する簡易防水機能とは異なる機能が発揮される。
【００４３】
＜作用・効果＞
以上、本発明の実施形態に係るコネクタ嵌合体の製造システムによれば、コネクタ嵌合体３の機能に対応して個々に「異なる」第１機能部を有する「複数」種類のオスコネクタ１Ａ，１Ｂに対し、汎用的に対応可能な「共通の」第２機能部を有する「単一」種類のメスコネクタ２を嵌合させることで、「複数」種類のコネクタ嵌合体３Ａ，３Ｂを製造するようになっている。これにより、従来のように、複数のオスコネクタと複数のメスコネクタとを準備する場合に比べ、より低コスト且つ合理的に、「複数」種類のコネクタ嵌合体３Ａ，３Ｂを製造できる。したがって、本構成のコネクタ嵌合体の製造システムは、複数種類のコネクタ嵌合体３Ａ，３Ｂを低コストで製造可能である。
【００４４】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
上記実施形態では、コネクタ嵌合体３が発揮する機能として、防水機能が採用されている。これに対し、コネクタ嵌合体３が発揮する機能として、防止機能以外の機能が採用されてもよい。また、上記実施形態では、２種類の第１コネクタから選択された一の第１コネクタが単一種類の第２コネクタに嵌合されるが、３種類以上の第１コネクタから選択された一の第１コネクタが単一種類の第２コネクタに嵌合されてもよい。
【００４６】
ここで、上述した本発明に係るコネクタ嵌合体の製造システムの実施形態の特徴をそれぞれ以下［１］〜［３］に簡潔に纏めて列記する。
［１］
複数種類の第１コネクタ（１Ａ，１Ｂ）から選択された一の前記第１コネクタと、単一種類の第２コネクタ（２）と、が嵌合されたコネクタ嵌合体（３Ａ，３Ｂ）を製造する、コネクタ嵌合体の製造システムであって、
前記複数種類の前記第１コネクタ（１Ａ，１Ｂ）の各々は、前記コネクタ嵌合体（３Ａ，３Ｂ）の機能に対応して前記第１コネクタ（１Ａ，１Ｂ）ごとに異なる第１機能部（１５，５２）を有し、
前記第２コネクタ（２）は、前記第１機能部（１５，５２）と係合可能な共通の第２機能部（３５）を有し、
当該製造システムは、
前記機能に基づいて選択された一の前記第１コネクタ（１Ａ，１Ｂ）と前記第２コネクタ（２）とを嵌合させ、前記第１機能部（１５，５２）と前記第２機能部（３５）との協働によって前記機能を有する前記コネクタ嵌合体（３Ａ，３Ｂ）を製造する、ように構成される、
コネクタ嵌合体の製造システム。
［２］
上記［１］に記載の製造システムにおいて、
前記第２コネクタ（２）は、
当該第２コネクタ（２）の外壁面に設けられた突条部（３５）を前記第２機能部として有し、
前記複数種類の前記第１コネクタは、
前記突条部（３５）と当接することによって防水機能を発揮する内壁面（１５）を前記第１機能部として有する簡易防水コネクタ（１Ａ）と、前記第２コネクタ（２）に一部（５３ｂ）が押圧接触して防水機能を発揮するとともに前記突条部（３５）と他部（５３ａ）が空隙を挟んで向かい合うことによって異物の侵入を抑制する機能を発揮するシーリング部品（５２）を前記第１機能部として有する防水コネクタ（１Ｂ）と、を含む、
コネクタ嵌合体の製造システム。
［３］
上記［１］に記載の製造システムにおいて、
前記第２コネクタ（２）は、
当該第２コネクタ（２）の外壁面に設けられた突条部（３５）を前記第２機能部として有し、
前記複数種類の前記第１コネクタは、
前記突条部（３５）と当接することによって防水機能を発揮する内壁面（１５）を前記第１機能部として有する簡易防水コネクタ（１Ａ）と、前記第２コネクタ（２）に一部（５３ｂ）が押圧接触して防水機能を発揮するとともに前記突条部（３５）と他部（５３ａ）が当接することによって前記防水機能を高める機能を発揮するシーリング部品（５２）を前記第１機能部として有する防水コネクタ（１Ｂ）と、を含む、
コネクタ嵌合体の製造システム。
【符号の説明】
【００４７】
１Ａ    簡易防水オスコネクタ（第１コネクタ）
１Ｂ    防水オスコネクタ（第１コネクタ）
２      メスコネクタ（第２コネクタ）
３Ａ    簡易防水コネクタ嵌合体（コネクタ嵌合体）
３Ｂ    防水コネクタ嵌合体（コネクタ嵌合体）
１５    圧入壁（第１機能部）
３５    突条部（第２機能部）
５２    パッキン（第１機能部）
５３ａ  リップ部（他部）
５３ｂ  リップ部（一部）
【図１】
2020161324.tif 000003
【図２】
2020161324.tif 000004
【図３】
2020161324.tif 000005
【図４】
2020161324.tif 000006
【図５】
2020161324.tif 000007